【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
ラボウェア物品であって、該ラボウェア物品に関連付けられた少なくとも１つのＲＦＩＤタグを有する、ラボウェア物品と、
器具デッキであって、該器具デッキに関連付けられた少なくとも１つのＲＦＩＤリーダを含み、それぞれの前記ＲＦＩＤリーダが既知の器具デッキ位置に配置されるものである、器具デッキと
を備えるシステムであって、
前記少なくとも１つのＲＦＩＤタグは、少なくとも、前記ラボウェア物品が前記器具デッキ上に配置されたときに、前記少なくとも１つのＲＦＩＤリーダと通信で結合され、
前記ラボウェア物品は、少なくとも１つの位置決めペグを含み、前記少なくとも１つのＲＦＩＤタグが、前記少なくとも１つの位置決めペグのところに位置し、
前記器具デッキは、前記ラボウェア物品が前記器具デッキ上に配置されたときに前記少なくとも１つの位置決めペグを受けるための、少なくとも１つの開口部を含み、
少なくとも１つのリーダ・アンテナが、前記少なくとも１つのＲＦＩＤタグを読み出すために前記少なくとも１つの開口部と関連する、
システム。
【請求項２】
請求項１に記載のシステムであって、前記少なくとも１つのＲＦＩＤリーダが、ＲＦＩＤ読取り回路と結合されるＲＦＩＤリーダ・アンテナを備える、システム。
【請求項３】
請求項２に記載のシステムであって、
前記ＲＦＩＤ読取り回路と結合される処理ユニットであって、前記少なくとも１つのＲＦＩＤリーダに、ＲＦＩＤタグの存在についてのスキャンを行わせるようにし、かつ、ＲＦＩＤタグの読み取りに基づいて、前記器具デッキ上に配置された前記ラボウェア物品の位置、向き、アイデンティティのうちの少なくとも１つを決定するように動作する処理ユニット
を更に備えるシステム。
【請求項４】
請求項１に記載のシステムであって、前記器具デッキの下に取り付けられたプリント回路板を更に備え、前記プリント回路板は、前記ラボウェア物品の前記位置決めペグを受けるための、前記器具デッキの前記開口部と位置合わせされた開口部を含む、システム。
【請求項５】
請求項４に記載のシステムであって、前記ＲＦＩＤリーダはＲＦＩＤリーダ・アンテナを備え、該ＲＦＩＤリーダ・アンテナは、前記プリント回路板に取り付けられ、前記プリント回路板の前記開口部に隣接して配置されるものである、システム。
【請求項６】
請求項５に記載のシステムであって、前記ＲＦＩＤリーダ・アンテナは、前記プリント回路板の前記開口部を囲む螺旋状のアンテナである、システム。
【請求項７】
請求項４に記載のシステムであって、前記プリント回路板は、前記器具デッキの下側から間隔があけられている、システム。
【請求項８】
請求項１に記載のシステムであって、前記ＲＦＩＤタグは、前記ラボウェア物品の前記少なくとも１つの位置決めペグに埋め込まれる、システム。
【請求項９】
請求項１に記載のシステムであって、前記ラボウェア物品は、少なくとも１つの位置決めペグを含み、前記器具デッキは、前記ラボウェア物品が前記器具デッキ上に配置されたときに前記少なくとも１つの位置決めペグを受けるための少なくとも１つの開口部を含み、それぞれの前記ＲＦＩＤリーダは、前記器具デッキの開口部に関連付けて取り付けられる、システム。
【請求項１０】
請求項９に記載のシステムであって、処理ユニットを更に含み、該処理ユニットは、前記少なくとも１つのＲＦＩＤリーダに、ＲＦＩＤタグの存在についてのスキャンを行わせるようにし、かつ、前記ＲＦＩＤタグの読み取りに基づいて、ラボウェア物品が、前記器具デッキにおける、前記ラボウェア物品の前記位置決めペグを受け入れた特定の開口部のところに配されていることを判断するように動作するものである、システム。
【請求項１１】
請求項１に記載のシステムであって、前記ＲＦＩＤタグは一意のデータ・コードでプログラムされるものであり、システムは処理ユニットを更に含むものであり、該処理ユニットは、前記少なくとも１つのＲＦＩＤリーダに、ＲＦＩＤタグの存在についてのスキャンを行わせるようにし、かつ、ＲＦＩＤタグの読み取りに基づいて、前記一意のデータ・コードを有するラボウェア物品が前記器具デッキに配されたことを判断するように動作するものである、システム。
【請求項１２】
請求項１１に記載のシステムであって、データベースを更に含み、該データベースは、前記処理ユニットに結合され、前記ラボウェア物品に関連付けられた前記ＲＦＩＤタグのための一意のデータ・コードを含む、システム。
【請求項１３】
請求項１１に記載のシステムであって、前記処理ユニットは、前記ＲＦＩＤリーダの前記既知の器具デッキ位置に基づいて、前記デッキに配された前記ラボウェア物品の位置を判断するように動作し、かつ、読み取られた前記一意のデータ・コードに基づいて前記ラボウェア物品のアイデンティティを判断するように動作する、システム。
【請求項１４】
請求項１１に記載のシステムであって、前記処理ユニットは、前記ＲＦＩＤリーダの前記既知の器具デッキ位置と、前記ラボウェア物品の読み取られた前記一意のデータ・コードとに基づいて、前記デッキに配された前記ラボウェア物品の向きを決定するように動作する、システム。
【請求項１５】
少なくとも１つのＲＦＩＤタグをラボウェア物品と関連付けるステップと、
ラボウェア器具デッキを設けるステップであって、前記ラボウェア器具デッキは、少なくとも１つの既知の器具デッキ位置に配置された少なくとも１つのＲＦＩＤリーダを含むものである、ステップと、
少なくとも前記ラボウェア物品が前記器具デッキ上に配置されたときに、前記少なくとも１つのＲＦＩＤタグを読み取るステップと
を備え、
前記ラボウェア物品は少なくとも１つの位置決めペグを含み、前記関連付けるステップが、前記少なくとも１つのＲＦＩＤタグを前記少なくとも１つの位置決めペグのところに位置させるステップを含み、
前記設けるステップが、前記ラボウェア物品が前記器具デッキ上に配置されたときに少なくとも１つの位置決めペグを受けるために、前記器具デッキに少なくとも１つの開口部を設けるステップを含み、
更に、前記少なくとも１つのＲＦＩＤタグを読み出すために、前記少なくとも１つの開口部と関連する少なくとも１つのリーダ・アンテナを設けるステップを備える、
方法。
【請求項１６】
請求項１５に記載の方法であって、前記ＲＦＩＤタグの読み取りに基づいて、読み取られた前記ＲＦＩＤタグと前記既知の器具デッキ位置とを関連付けることにより、前記ラボウェア物品の位置を決定するステップを更に備える方法。
【請求項１７】
請求項１５に記載の方法であって、前記読み取るステップが、任意の開口部のところで受け入れた前記ラボウェア物品の前記位置決めペグに関連した前記ＲＦＩＤタグを読み取るステップを含む、方法。
【請求項１８】
請求項１５に記載の方法であって、複数のＲＦＩＤリーダによる複数のＲＦＩＤタグの読み取りに基づいて、前記ＲＦＩＤタグの位置を前記複数のＲＦＩＤリーダのそれぞれの既知の器具デッキ位置と関連付けることにより、前記ラボウェア物品の向きを検出するステップを更に含む方法。
【請求項１９】
請求項１５に記載の方法であって、前記読み取るステップが、
ＲＦＩＤタグの存在についてのスキャンを行うステップと、
スキャンされた前記ＲＦＩＤタグに基づいて、前記器具デッキ上に配置された前記ラボウェア物品の位置、向き、アイデンティティのうち少なくとも１つを決定するステップと
を備える、方法。
【請求項２０】
請求項１５に記載の方法であって、前記既知の器具デッキ位置が、ラボウェア位置決めペグを受けるための開口部であり、前記読み取るステップが、
それぞれの前記既知の器具デッキ位置で、ＲＦＩＤタグの存在についてのスキャンを行うステップと、
スキャンされた前記ＲＦＩＤタグに基づいて、ラボウェア物品が、前記ラボウェア物品の前記位置決めペグを受け入れた前記開口部に対応する前記既知の器具デッキ位置において、前記器具デッキに配されたことを決定するステップと
を備える、方法。
【請求項２１】
請求項１５に記載の方法であって、前記ＲＦＩＤタグが一意のデータ・コードでプログラムされており、前記読み取るステップが、
それぞれの既知の器具デッキ位置において、ＲＦＩＤタグの存在についてのスキャンを行うステップと、
スキャンされた前記ＲＦＩＤタグに基づいて、スキャンされた前記ＲＦＩＤタグの前記一意のデータ・コードを有するラボウェア物品が、前記器具デッキに配されたこと、および前記既知の器具デッキ位置に位置することを判断するステップ
とを備える、方法。
【請求項２２】
請求項２１に記載の方法であって、ラボウェア物品に関連付けられた前記ＲＦＩＤタグに対する前記一意のデータ・コードをメモリに記憶するステップを更に含む方法。
【請求項２３】
請求項１５に記載の方法であって、前記ＲＦＩＤタグが一意のデータ・コードでプログラムされており、前記読み取るステップが、
ＲＦＩＤタグの存在についてのスキャンを行い、それらＲＦＩＤタグの一意のデータ・コードを読み取るステップと、
スキャンされた前記ＲＦＩＤタグに基づいて、前記既知の器具デッキ位置での前記ラボウェア物品の位置を判断し、かつ、前記ラボウェア物品のアイデンティティを、読み取られた前記一意のデータ・コードから判断するステップと
を備える、方法。
【請求項２４】
請求項１５に記載の方法であって、前記ＲＦＩＤタグが一意のデータ・コードでプログラムされており、前記読み取るステップが、
ＲＦＩＤタグの存在についてのスキャンを行い、それらＲＦＩＤタグの一意のデータ・コードを読み取るステップと、
前記既知の器具デッキ位置と、読み取られた前記一意のデータ・コードとに基づいて、前記ラボウェア物品の向きを決定するステップと
を備える、方法。
【請求項２５】
位置決めペグと、前記位置決めペグ内に配置されたＲＦＩＤタグとを含むラボウェア物品と、
複数の開口部を含む器具デッキであって、それぞれの前記開口部はラボウェア物品の位置決めペグを受けることが可能である、器具デッキと、
複数のＲＦＩＤリーダ・アンテナであって、それぞれのＲＦＩＤリーダ・アンテナは、前記ＲＦＩＤタグを読み取るために、前記器具デッキの前記複数の開口部の少なくとも１つと関連付けられる、複数のＲＦＩＤリーダ・アンテナと
を備えるシステム。
【請求項２６】
請求項２５に記載のシステムであって、
前記複数のＲＦＩＤリーダ・アンテナと結合されるＲＦＩＤ読取り回路と、
前記ＲＦＩＤ読取り回路と結合される処理ユニットであって、前記ＲＦＩＤ読取り回路に、それぞれの前記開口部のところでＲＦＩＤタグについてのスキャンを行わせるように動作し、かつ、前記器具デッキにより受けられたラボウェア物品の位置と、前記器具デッキにより受けられた前記ラボウェア物品の向きと、前記器具デッキにより受けられた前記ラボウェア物品のアイデンティティとのうち少なくとも１つを決定するように動作する処理ユニットと
を更に備えるシステム。
【請求項２７】
請求項２５に記載のシステムであって、前記ＲＦＩＤリーダ・アンテナの数が前記器具デッキの前記開口部の数に対応する、システム。
【請求項２８】
請求項２５に記載のシステムであって、前記器具デッキの下に取り付けられたプリント回路板を更に備え、前記プリント回路板は複数の開口部を含み、それぞれの前記開口部は、ラボウェア物品の位置決めペグを受け入れるために、前記器具デッキの対応する前記開口部と位置合わせされる、システム。
【請求項２９】
請求項２８に記載のシステムであって、それぞれの前記ＲＦＩＤリーダ・アンテナが、前記プリント回路板に取り付けられ、前記プリント回路板の前記開口部の１つに隣接して配置される、システム。
【請求項３０】
請求項２８に記載のシステムであって、それぞれの前記ＲＦＩＤリーダ・アンテナは、前記プリント回路板の前記開口部の１つを囲む螺旋状のアンテナである、システム。